(57)【特許請求の範囲】
【請求項１】
載置部に載置された原稿と、第１方向に沿って配置された撮像素子の読み取り位置とを、当該第１方向と直行する第２方向において相対的に移動させることで、当該原稿に記録された画像を読み取るように構成された読取部と、
画像を記録用紙に記録する記録部と、
前記記録部によって画像が記録される記録用紙を収容する用紙収容部と、
前記用紙収容部に収容された記録用紙の用紙サイズを記憶可能な記憶部と、
ユーザ操作に応じた入力を行う操作部と、
制御部と、
を備え、
前記制御部は、
前記載置部に載置された原稿の前記第１方向における寸法である第１寸法を取得する取得手段と、
前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段と、
前記取得手段によって取得された第１寸法に基づいて、前記載置部に載置された原稿の前記第２方向における寸法を推定し、当該２方向における寸法と、前記取得手段によって取得された第１寸法と、前記第１受付手段によって受け付けられた拡縮率とに基づいて、前記記録部による記録対象の記録用紙の用紙サイズを推定する第１推定手段と、
前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定し、前記第１推定手段によって１種類の用紙サイズが推定された場合に、当該１種類の用紙サイズが、前記記憶部に記憶されている用紙サイズと一致することを条件として、当該１種類の用紙サイズを、前記記録部による記録対象の記録用紙の用紙サイズとして設定する第１設定手段と、
を有することを特徴とする複写機。
【請求項２】
前記複写機は、
複数の前記用紙収容部をさらに備え、
前記記憶部は、
前記複数の用紙収容部の各々に収容された記録用紙の用紙サイズと、当該複数の用紙収容部に対して設定された優先順位とを記憶可能であり、
前記第１設定手段は、
前記第１推定手段によって複数種類の用紙サイズが推定され、当該複数種類の用紙サイズのうちの２種類以上の用紙サイズが、前記記憶部に記憶されている用紙サイズと一致する場合に、当該２種類以上の用紙サイズのうちの、前記記憶部に記憶されている優先順位が示す優先度の高い用紙収容部に収容されている記録用紙の用紙サイズを、前記記録部による記録対象の記録用紙の用紙サイズとして設定することを特徴とする請求項１に記載の複写機。
【請求項３】
前記複写機は、  表示部をさらに備え、
前記制御部は、
記録対象の記録用紙の用紙サイズを、前記操作部により受け付ける第２受付手段と、
前記第２受付手段により受付けた記録対象の用紙サイズを記録対象の記録用紙の用紙サイズとして設定する第２設定手段を有し、
前記第１設定手段は、
少なくとも、前記第２受付手段により記録対象の記録用紙の用紙サイズを受け付けていないことを条件として、記録対象の記録用紙の用紙サイズを設定し、
前記制御部は、
前記第１設定手段によって設定された用紙サイズに関する情報を、前記表示部に表示させる表示制御手段を有することを特徴とする請求項１又は２に記載の複写機。
【請求項４】
前記記憶部は、
前記用紙収容部に収容された記録用紙の用紙サイズと、当該記録用紙の種類とを関連付けて記憶し、
前記制御部は、
前記記録部による記録対象の記録用紙の種類を、前記操作部により受け付ける第３受付手段を有し、
前記第１設定手段は、
前記記憶部に記憶されている用紙サイズと一致する、前記第１推定手段によって推定された用紙サイズを、当該用紙サイズと関連付けて前記記憶部に記憶された記録用紙の種類と、前記第３受付手段により受け付けられた記録用紙の種類とが一致することを条件として、前記記録部による記録対象の記録用紙の用紙サイズとして設定することを特徴とする請求項１乃至３の何れか１項に記載の複写機。
【請求項５】
前記読取部は、
前記載置部に載置された原稿に対して、前記撮像素子の読み取り位置を前記第２方向に移動させることで、当該原稿に記録された画像を読み取るように構成されており、
前記複写機は、
ユーザ操作に応じた入力を行う操作部をさらに備え、
前記制御部は、
前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段と、
前記第１設定手段によって設定された記録用紙の用紙サイズと、前記第１受付手段によって受け付けられた拡縮率と、前記取得手段により取得した第１寸法とに基づいて、前記載置部に載置された原稿の原稿サイズ、及び前記載置部に対する載置方向を推定する第２推定手段と、
前記第２推定手段により推定された原稿サイズと載置方向とにより算出される、前記載置部に載置された原稿の前記第２方向における寸法に対応する距離だけ前記撮像素子を移動させるようにして、前記読取部に原稿に記録された画像を読み取らせる読取手段と、
を有することを特徴とする請求項１乃至４の何れか１項に記載の複写機。
【請求項６】
前記制御部は、  前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段を有し、
前記第１受付手段は、原稿及び記録用紙の大きさを指定することで自動的に算出される値を拡縮率とする指示と拡縮率を示す値とのいずれかを受け付け、
前記制御部は、
前記第１受付手段が自動的に算出される値を拡縮率とする指示を受け付けている場合に、前記載置部に載置された原稿の載置方向に関する情報を、前記操作部により受け付ける第４受付手段と、
前記第４受付手段によって受け付けられた情報と、前記取得手段によって取得された第１寸法とに基づいて、前記載置部に載置された原稿の原稿サイズを推定し、当該推定された原稿サイズに対する、予め指定された用紙サイズの比率を、前記拡縮率として演算する演算手段と、
を有することを特徴とする請求項１乃至５の何れか１項に記載の複写機。
【請求項７】
載置部に載置された原稿と、第１方向に沿って配置された撮像素子の読み取り位置とを、当該第１方向と直行する第２方向において相対的に移動させることで、当該原稿に記録された画像を読み取るように構成された読取部と、
画像を記録用紙に記録する記録部と、
前記記録部によって画像が記録される記録用紙を収容する用紙収容部と、
前記用紙収容部に収容された記録用紙の用紙サイズを記憶可能な記憶部と、
ユーザ操作に応じた入力を行う操作部と、  表示部と、
制御部と、
を備え、
前記制御部は、
記録対象の記録用紙の用紙サイズを、前記操作部により受け付ける第２受付手段と、
前記第２受付手段により受付けた記録対象の用紙サイズを記録対象の記録用紙の用紙サイズとして設定する第２設定手段と、
前記載置部に載置された原稿の前記第１方向における寸法である第１寸法を取得する取得手段と、
少なくとも前記取得手段によって取得された第１寸法に基づいて、前記記録部による記録対象の記録用紙の用紙サイズを推定する第１推定手段と、
少なくとも、前記第２受付手段により記録対象の記録用紙の用紙サイズを受け付けていないことを条件として、前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定する第１設定手段と、
前記第１設定手段によって設定された用紙サイズに関する情報を、前記表示部に表示させる表示制御手段と、
を有することを特徴とする複写機。
【請求項８】
載置部に載置された原稿に対して、第１方向に沿って配置された撮像素子の読み取り位置を、当該第１方向と直行する第２方向に移動させることで、当該原稿に記録された画像を読み取るように構成された読取部と、
画像を記録用紙に記録する記録部と、
前記記録部によって画像が記録される記録用紙を収容する用紙収容部と、
前記用紙収容部に収容された記録用紙の用紙サイズを記憶可能な記憶部と、
ユーザ操作に応じた入力を行う操作部と、
制御部と、
を備え、
前記制御部は、
前記載置部に載置された原稿の前記第１方向における寸法である第１寸法を取得する取得手段と、
少なくとも前記取得手段によって取得された第１寸法に基づいて、前記記録部による記録対象の記録用紙の用紙サイズを推定する第１推定手段と、
前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定する第１設定手段と、
前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段と、
前記第１設定手段によって設定された記録用紙の用紙サイズと、前記第１受付手段によって受け付けられた拡縮率と、前記取得手段により取得した第１寸法とに基づいて、前記載置部に載置された原稿の原稿サイズ、及び前記載置部に対する載置方向を推定する第２推定手段と、
前記第２推定手段により推定された原稿サイズと載置方向とにより算出される、前記載置部に載置された原稿の前記第２方向における寸法に対応する距離だけ前記撮像素子を移動させるようにして、前記読取部に原稿に記録された画像を読み取らせる読取手段と、
を有することを特徴とする複写機。
【請求項９】
載置部に載置された原稿と、第１方向に沿って配置された撮像素子の読み取り位置とを、当該第１方向と直行する第２方向において相対的に移動させることで、当該原稿に記録された画像を読み取るように構成された読取部と、
画像を記録用紙に記録する記録部と、
前記記録部によって画像が記録される記録用紙を収容する用紙収容部と、
前記用紙収容部に収容された記録用紙の用紙サイズを記憶可能な記憶部と、
ユーザ操作に応じた入力を行う操作部と、
制御部と、
を備え、
前記制御部は、
前記載置部に載置された原稿の前記第１方向における寸法である第１寸法を取得する取得手段と、
少なくとも前記取得手段によって取得された第１寸法に基づいて、前記記録部による記録対象の記録用紙の用紙サイズを推定する第１推定手段と、
前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定する第１設定手段と、
前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段と、
を有し、
前記第１受付手段は、原稿及び記録用紙の大きさを指定することで自動的に算出される値を拡縮率とする指示と拡縮率を示す値とのいずれかを受け付け、
前記制御部は、
前記第１受付手段が自動的に算出される値を拡縮率とする指示を受け付けている場合に、前記載置部に載置された原稿の載置方向に関する情報を、前記操作部により受け付ける第４受付手段と、
前記第４受付手段によって受け付けられた情報と、前記取得手段によって取得された第１寸法とに基づいて、前記載置部に載置された原稿の原稿サイズを推定し、当該推定された原稿サイズに対する、予め指定された用紙サイズの比率を、前記拡縮率として演算する演算手段と、
を有することを特徴とする複写機。
【請求項１０】
載置部に載置された原稿と、第１方向に沿って配置された撮像素子の読み取り位置とを、当該第１方向と直行する第２方向において相対的に移動させることで、当該原稿に記録された画像を読み取るように構成された読取部と、画像を記録用紙に記録する記録部と、前記記録部によって画像が記録される記録用紙を収容する用紙収容部と、前記用紙収容部に収容された記録用紙の用紙サイズを記憶可能な記憶部と、ユーザ操作に応じた入力を行う操作部とを備えた複写機のコンピュータが読み取り可能な制御プログラムであって、
前記コンピュータを、
前記載置部に載置された原稿の前記第１方向における寸法である第１寸法を取得する取得手段と、
前記読取部によって読み取られた原稿の画像が、前記記録部によって記録用紙に記録される際の、当該原稿の画像の拡大、又は縮小の比率である拡縮率に関する入力を、前記操作部により受け付ける第１受付手段と、
前記取得手段によって取得された第１寸法に基づいて、前記載置部に載置された原稿の前記第２方向における寸法を推定し、当該２方向における寸法と、前記取得手段によって取得された第１寸法と、前記第１受付手段によって受け付けられた拡縮率とに基づいて、前記記録部による記録対象の記録用紙の用紙サイズを推定する第１推定手段と、
前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定し、前記第１推定手段によって１種類の用紙サイズが推定された場合に、当該１種類の用紙サイズが、前記記憶部に記憶されている用紙サイズと一致することを条件として、当該１種類の用紙サイズを、前記記録部による記録対象の記録用紙の用紙サイズとして設定する第１設定手段と、
して機能させることを特徴とする制御プログラム。 
【発明の詳細な説明】
【技術分野】
【０００１】
本発明は、載置部に載置された原稿の画像を読み取り、読み取った画像を記録用紙に記録する複写機、および、その複写機のコンピュータが読み取り可能な制御プログラムに関する。
【背景技術】
【０００２】
複写機では、載置部に載置された原稿の画像を読み取り、読み取った画像を記録用紙に記録することで、画像の複写処理が行われる。このような複写機では、原稿の画像の読み取りに要する時間の短縮、１枚の原稿の画像の読み取りが完了する前に、その原稿の読み取りと、印刷用紙への画像の記録とを並行して行うことで、複写処理に要する時間の短縮等が望まれている。このため、画像の読み取りが完了する前に、原稿の原稿サイズ，原稿の載置方向に関する情報が揃っていることが望ましい。そこで、種々のセンサを複写機に設けることで、原稿の原稿サイズ，原稿の載置方向に関する情報を取得できるが、廉価機では、コストの増加は好ましくないため多くのセンサを設けることができない。このため、廉価機では、下記特許文献に記載されているように、原稿の載置方向を限定することで、原稿サイズの特定を容易にしている。
【先行技術文献】
【特許文献】
【０００３】
【特許文献１】特開２０１２−８５２０３号公報
【発明の概要】
【発明が解決しようとする課題】
【０００４】
上記特許文献に記載の技術では、ユーザが、限定されている原稿の載置方向を認識していない場合には、原稿を適切な方向で載置できず、適切な複写処理を行えない虞がある。また、複写処理毎に、ユーザに、原稿の載置方向の問合せを行っていては、ユーザビリティが低下する。本発明は、そのような事情に鑑みてなされたものであり、本発明の課題は、センサ等を多用することなく、記録処理の際のユーザビリティを向上させることである。
【課題を解決するための手段】
【０００５】
上記課題を解決するために、本発明の複写機は、載置部に載置された原稿と、第１方向に沿って配置された撮像素子の読み取り位置とを、当該第１方向と直行する第２方向において相対的に移動させることで、当該原稿に記録された画像を読み取るように構成された読取部と、画像を記録用紙に記録する記録部と、前記記録部によって画像が記録される記録用紙を収容する用紙収容部と、前記用紙収容部に収容された記録用紙の用紙サイズを記憶可能な記憶部と、制御部と、を備え、前記制御部は、前記載置部に載置された原稿の前記第１方向における寸法である第１寸法を取得する取得手段と、少なくとも前記取得手段によって取得された第１寸法に基づいて、前記記録部による記録対象の記録用紙の用紙サイズを推定する第１推定手段と、前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定する第１設定手段と、を有することを特徴とする。
【０００６】
上記課題を解決するために、本発明の制御プログラムは、載置部に載置された原稿と、第１方向に沿って配置された撮像素子の読み取り位置とを、当該第１方向と直行する第２方向において相対的に移動させることで、当該原稿に記録された画像を読み取るように構成された読取部と、画像を記録用紙に記録する記録部と、前記記録部によって画像が記録される記録用紙を収容する用紙収容部と、前記用紙収容部に収容された記録用紙の用紙サイズを記憶可能な記憶部とを備えた複写機のコンピュータが読み取り可能な制御プログラムであって、前記コンピュータを、前記載置部に載置された原稿の前記第１方向における寸法である第１寸法を取得する取得手段と、少なくとも前記取得手段によって取得された第１寸法に基づいて、前記記録部による記録対象の記録用紙の用紙サイズを推定する第１推定手段と、前記第１推定手段によって複数種類の用紙サイズが推定された場合に、当該複数種類の用紙サイズのうちの、前記記憶部に記憶されている用紙サイズと一致する用紙サイズを、前記記録部による記録対象の記録用紙の用紙サイズとして設定する第１設定手段と、して機能させることを特徴とする。
【発明の効果】
【０００７】
本発明の複写機等では、用紙収容部に収容されている記録用紙の用紙サイズが記憶されている。また、原稿の所定の方向における寸法に基づいて、記録用紙の用紙サイズが推定される。そして、複数種類の用紙サイズが推定された場合に、それら複数種類の用紙サイズのうちの、記憶されている用紙サイズと一致する用紙サイズが、記録対象の記録用紙の用紙サイズとして設定される。これにより、センサを多用することなく、記録対象の記録用紙の用紙サイズを設定することが可能となり、ユーザビリティが向上する。
【図面の簡単な説明】
【０００８】
【図１】ＭＦＰ１０のブロック図である。
【図２】ＭＦＰ１０を側方からの視点に示す図である。
【図３】メニュー画面５０を示す図である。
【図４】用紙トレイ毎に記憶された優先順位，用紙サイズ，用紙タイプを概念的に示す図である。
【図５】コピー処理実行画面７０を示す図である。
【図６】設定変更画面１００を示す図である。
【図７】ショートカット画面１２０を示す図である。
【図８】透明板３３に載置される原稿位置を示す図である。
【図９】原稿寸法と拡縮率と推定用紙サイズとの関係を概念的に示す図である。
【図１０】ＭＦＰ１０の動作フローチャートを示す図である。
【図１１】ＭＦＰ１０の動作フローチャートを示す図である。
【図１２】ＭＦＰ１０の動作フローチャートを示す図である。
【図１３】ＭＦＰ１０の動作フローチャートを示す図である。
【図１４】ＭＦＰ１０の動作フローチャートを示す図である。
【発明を実施するための形態】
【０００９】
＜ＭＦＰの構成＞
図１に、本願に係る実施形態として例示されるＭＦＰ（Multifunction Peripheralの略）（本発明の複写機の一例）１０のブロック図を示す。
【００１０】
ＭＦＰ１０は、ＣＰＵ（本発明の制御部およびコンピュータの一例）１２、記憶部１４、ディスプレイ（本発明の表示部の一例）１６、入力Ｉ／Ｆ（本発明の操作部の一例）１８、記録部（本発明の記録部の一例）２０、読取部（本発明の読取部の一例）２２、検出センサ２４、モデム２６、電話回線接続部２８を主に備えている。これらの構成要素は、入出力ポート３０を介して互いに通信可能とされている。
【００１１】
ディスプレイ１６は、ＭＦＰ１０の各種機能を表示する表示面を備える。ディスプレイの一例としては、例えば、ＬＣＤ、有機ＥＬ、プラズマディスプレイ等が挙げられる。入力Ｉ／Ｆ１８は、例えば、ディスプレイ１６と一体的に構成されているタッチパネルであってよく、ディスプレイ１６上に表示されたボタンへのユーザ操作を受け付ける。また、タッチパネル以外にも、ハードキー等であってもよい。
【００１２】
記録部２０は、印刷機構であり、例えば、インクジェット方式、電子写真方式のものが挙げられる。ＣＰＵ１２は、用紙トレイ（図示省略）（本発明の用紙収容部の一例）に収容された印刷用紙（本発明の記録用紙の一例）を記録部２０に搬送し、記録部２０へ駆動信号を入力する。これにより、記録部２０がインクジェットヘッドである場合は入力された駆動信号に応じて、ノズルからインクを吐出することで、印刷用紙に画像が印刷される。なお、ＭＦＰ１０は、３個の用紙トレイを有しており、記録部２０は、３個の用紙トレイのうちの任意の１の用紙トレイから搬送される印刷用紙に画像を印刷する。
【００１３】
読取部２２は、ＭＦＰ１０の内部に配設されており、画像の読み取りを行う。詳しくは、ＭＦＰ１０は、図２に示すように、筐体３２と透明板（本発明の載置部の一例）３３とカバー３４とを含む。筐体３２は、上面が開口しており、その上面には、透明板３３が嵌めこまれている。そして、その透明板３３を覆うように、カバー３４が、開閉可能に配設されている。また、読取部２２は、読取装置３５を有している。読取装置３５は、透明板３３の下方に配設され、矢印３６に向かう方向（本発明の第２方向の一例）、所謂、副走査方向に移動可能とされている。読取装置３５は、光源３７、レンズ３８、ＣＩＳ（Contact Image Sensorの略）（本発明の撮像素子の一例）３９を有している。光源３７は、透明板３３に向かって光を照射する。そして、光源３７から透明板３３に向かって照射され、透明板３３により反射した光が、レンズ３８を通過し、その反射光を、ＣＩＳ３９が受光する。なお、ＣＩＳ３９は、図２の紙面垂直方向、つまり、副走査方向に直行する方向（本発明の第１方向の一例）、所謂、主走査方向（以下、単に主走査方向と称する）に向かって延びるように配設されている。そして、透明板３３に原稿が載置され、カバー３４が閉じられた状態で、読取装置３５が矢印３６に向かう方向に移動されることで、原稿の画像がＣＩＳ３９によって読み取られる。このため、読取部２２は、透明板３３とカバー３４と読取装置３５とによって構成されると考えられる。なお、ＭＦＰ１０では、ＣＩＳ３９が採用されているが、ＣＣＤイメージセンサを採用することが可能である。ただし、ＣＣＤイメージセンサが採用される場合は、光源からの照射光がミラーにより反射され、その反射光がセンサにより受光される。そして、ＣＣＤイメージセンサは、固定されており、少なくともミラーが副走査方向に移動される。このため、ＣＩＳ３９が採用された場合では、ＣＩＳ３９の配設位置が、画像の読み取り位置となるが、ＣＣＤイメージセンサが採用された場合は、ミラーの位置が読み取り位置となる。
【００１４】
検出センサ２４は、カバー３４の開状態、及び閉状態のそれぞれを示す信号を出力する。これにより、ＣＰＵ１２はカバーの開閉状態を検知することができる。
【００１５】
ＣＰＵ１２は、記憶部１４内の制御プログラム（本発明の制御プログラムの一例）４０に従って処理を実行する。制御プログラム４０は、ＭＦＰ１０においてコピー処理等を実行するためのプログラムである。なお、記憶部１４は、ＲＡＭ（Random Access Memoryの略）、ＲＯＭ（Read Only Memoryの略）、フラッシュメモリー、ＨＤＤ（Hard Disk Driveの略）、ＣＰＵ１２が備えるバッファなどが組み合わされて構成されている。また、記憶部１４は、データ記憶領域（本発明の記憶部の一例）４２を備える。データ記憶領域４２は、制御プログラム４０の実行に必要なデータなどを記憶する領域であり、パーマネント設定領域４２ａ、テンポラリ設定領域４２ｂを備える。
【００１６】
モデム２６は、ファクシミリ機能によって送信する原稿データを、電話回線網４６に伝送可能な信号に変調して電話回線接続部２８を介して送信したり、電話回線網４６から電話回線接続部２８を介して入力された信号を受信し、原稿データを復調するものである。
【００１７】
＜ＭＦＰ１０によるコピー処理の実行＞
ＭＦＰ１０では、上述した構成により、コピー処理，スキャン処理，ファックス処理の各種処理を実行することが可能である。詳しくは、ＭＦＰ１０では、通常、ディスプレイ１６に、図３に示すメニュー画面５０が表示されている。メニュー画面５０には、ファックス選択ボタン５２、コピー選択ボタン５４、スキャン選択ボタン５６、設定ボタン５８、ショートカット選択ボタン６０が表示されている。
【００１８】
ファックス選択ボタン５２は、ファックス処理を選択するためのボタンである。コピー選択ボタン５４は、透明板３３にセットされた原稿の画像データを読み取り、その画像データに基づく画像のコピー処理を選択するためのボタンである。スキャン選択ボタン５６は、透明板３３にセットされた原稿の画像データを読み取り、その画像データをデータ記憶領域４２に記憶するスキャン処理を選択するためのボタンである。設定ボタン５８は、各種処理を実行する際に用いられる設定値を設定するためのボタンである。ショートカット選択ボタン６０は、後に説明するショートカット機能を用いて各種処理を実行するためのボタンである。
【００１９】
ＭＦＰ１０でのコピー処理では、透明板３３にセットされた原稿の原稿サイズが推定され、その原稿サイズおよび、拡縮率に応じた印刷用紙の用紙サイズが特定される。そして、その特定されたサイズの印刷用紙への印刷が行われる。なお、拡縮率は、原稿の画像が印刷用紙に印刷される際の原稿の画像の拡大率、若しくは、縮小率である。つまり、拡縮率は、原稿の原稿サイズに対する印刷用紙の用紙サイズの比率である。なお、本実施形態では、コピー処理において読み取り可能な原稿サイズ、及び印刷可能な用紙サイズはそれぞれＡ３サイズ、Ａ４サイズ、Ａ５サイズとする。さらに、Ａ４サイズの原稿については、長辺寸法を主走査方向に沿うように配置する所謂縦置きと、短辺寸法を主走査方向に沿うように配置するいわゆる横置きの両方が許容され、Ａ３サイズ、Ａ５サイズについては横置きのみが許容される。以下に、ＭＦＰ１０でのコピー処理について詳しく説明する。
【００２０】
まず、パーマネネント設定について説明する。パーネント設定は、コピー処理を含む複数の処理におけるデフォルト値の設定である。メニュー画面５０の設定ボタン５８へのユーザ操作によって、ディスプレイ１６に設定画面（図示省略）が表示される。そして、その設定画面において、３個の用紙トレイの各々に収容されている印刷用紙の用紙サイズおよび、印刷用紙の用紙タイプが入力される。なお、印刷用紙の用紙タイプは、印刷用紙の種類を示すものであり、例えば、光沢紙、普通紙等である。具体的には、例えば、３個の用紙トレイのうちの１の用紙トレイ（以下、「トレイＡ」と記載する）に、Ａ４サイズの光沢紙が収容され、３個の用紙トレイのうちのトレイＡと異なる１の用紙トレイ（以下、「トレイＢ」と記載する）に、Ａ３サイズの普通紙が収容され、３個の用紙トレイのうちのトレイＡ及びトレイＢと異なる１の用紙トレイ（以下、「トレイＣ」と記載する）に、Ａ５サイズの普通紙が収容されている場合に、その旨の情報が設定画面において入力される。
【００２１】
これにより、図４に示すように、各用紙トレイと、各用紙トレイに収容されている用紙サイズ及び用紙タイプとが関連付けられて、パーマネント設定領域４２ａに記憶される。また、設定画面では、３個の用紙トレイのうちの何れかの用紙トレイを、使用対象の用紙トレイとして設定することが可能である。詳しくは、トレイＡとトレイＢとトレイＣとの各々を選択するための選択ボタンが、設定画面に表示され、操作された選択ボタンに応じた用紙トレイが、使用対象の用紙トレイとして設定されてパーマネント設定領域４２ａに記憶される。つまり、例えば、トレイＡに応じた選択ボタンが操作された場合には、トレイＡが使用対象の用紙トレイとして設定される。なお、設定画面において入力された設定値は、ファックス処理、コピー処理の全ての印刷を伴う処理に共通する設定値となる。このため、トレイＡが使用対象の用紙トレイとして設定された場合には、各種処理で印刷用紙が使用される際に、トレイＡに収容されたＡ４の光沢紙に画像が印刷される。なお、用紙トレイの選択により、用紙サイズが選択されることから、用紙トレイの選択は、用紙サイズの選択に含まれる。
【００２２】
また、ＭＦＰ１０では、コピー処理等の印刷を伴う処理において、使用対象の用紙トレイの設定を“自動”とすることが可能である。詳しくは、設定画面には、使用対象の用紙トレイの設定を“自動”とするための選択ボタンが表示され、その選択ボタンが操作されることで、使用対象の用紙トレイが後述する条件に従い自動で設定される。また、設定画面では、用紙トレイの設定を“自動”とした場合、用紙トレイの優先順位がユーザ操作により受付けられ、図４に示すように、各用紙トレイと、各用紙トレイに設定された優先順位とが関連付けられて、パーマネント設定領域４２に記憶される。この優先順位は、各処理において使用される用紙トレイの優先度を特定するためのものであり、優先度が高い順番である。このため、使用対象の用紙トレイ設定が“自動”とされている際に、図４に示すように用紙トレイと優先順位とがパーマネント設定領域４２ａに記憶されている場合には、トレイＢが使用対象の用紙トレイとして設定される可能性が高くなる。このように、設定画面では、トレイ設定として、トレイＡ〜Ｃのうちの何れかのトレイの、若しくは、“自動”を選択することが可能である。つまり、設定画面では、印刷を伴う各種処理実行時における使用対象の用紙トレイが、優先順位に応じた用紙トレイ、若しくは、ユーザ操作により特定された用紙トレイに設定される。
【００２３】
また、ＭＦＰ１０においてコピー処理が実行される際に、ユーザは、メニュー画面５０においてコピー選択ボタン５４を操作する。これにより、ディスプレイ１６に、図５に示すコピー処理実行画面７０が表示される。コピー処理実行画面７０には、印刷枚数選択ボタン７２と、設定値表示欄７４と、設定変更ボタン７６と、モノクロコピー開始ボタン７８と、カラーコピー開始ボタン８０と、登録ボタン８２とが表示される。
【００２４】
設定値表示欄７４には、コピー処理の設定値が表示される。詳しくは、コピー処理時の拡縮率，両面印刷の有無，コピー処理時に用いられる用紙トレイ及びトレイに収容されている印刷用紙の用紙サイズ、印刷品質が、コピー処理の設定値として、設定値表示欄７４に表示される。なお、設定値表示欄７４の用紙トレイ及び用紙サイズは、設定画面で設定され、パーマネント設定領域４２ａに記憶された設定値が表示される。つまり、設定画面で、ユーザ操作により用紙トレイが特定されている場合には、その特定された用紙トレイ及び、そのトレイと関連付けてパーマネント設定領域４２ａに記憶されている用紙サイズが、設定値表示欄７４に表示される。具体的には、例えば、ユーザ操作によりトレイＡが設定された場合には、トレイＡ及び、トレイＡと関連付けてパーマネント設定領域４２ａに記憶されているＡ４サイズが、設定値表示欄７４に表示される。また、設定画面で、“自動”が設定されている場合には、設定された優先順位に従い自動で選択された用紙トレイ及び、そのトレイと関連付けてパーマネント設定領域４２ａに記憶されている用紙サイズが、設定値表示欄７４に表示される。具体的には、例えば、図４に示す優先順位が設定されている場合には、トレイＢ及び、そのトレイＢと関連付けてパーマネント設定領域４２ａに記憶されているＡ３サイズが、設定値表示欄７４に表示される。なお、用紙トレイが自動で設定された場合は、ユーザの意思に従って用紙トレイが設定されている場合と区別するために、用紙トレイの後ろに“優先”の文字が表示される。
【００２５】
ただし、コピー処理の設定値は、設定変更ボタン７６の操作により変更することが可能である。詳しくは、設定変更ボタン７６の操作により、ディスプレイ１６に、図６に示す設定変更画面１００が表示される。設定変更画面１００には、用紙タイプ変更ボタン１０２と、用紙サイズ変更ボタン１０４と、トレイ変更ボタン１０６と、拡縮率変更ボタン１０８と、拡縮率自動設定ボタン１１０と、ＯＫボタン１１２とが表示される。用紙タイプ変更ボタン１０２は、印刷対象の印刷用紙の用紙タイプを変更するためのボタンである。用紙サイズ変更ボタン１０４は、印刷対象の印刷用紙の用紙サイズを変更するためのボタンである。トレイ変更ボタン１０６は、使用対象の用紙トレイを変更するためのボタンである。なお、トレイ変更ボタン１０６の操作により、トレイＡ〜Ｃのうちの何れかのトレイの設定、若しくは、使用対象の用紙トレイの自動設定を選択することが可能である。拡縮率変更ボタン１０８は、拡縮率を変更するためのボタンである。そして、各種変更ボタンの操作後に、ＯＫボタン１１２が操作されることで、ディスプレイ１６に、図５に示すコピー処理実行画面７０が表示され、そのコピー処理実行画面７０の設定値表示欄７４には、各種変更ボタンの操作に応じた設定値が表示される。なお、拡縮率自動設定ボタン１１０は、拡縮率を自動で設定するためのボタンであるが、このことについては、後程、詳しく説明する。
【００２６】
つまり、例えば、設定画面において、使用対象の用紙トレイの自動設定が選択されている場合であっても、設定変更画面１００において、トレイ変更ボタン１０６が操作され、特定のトレイがユーザ操作により設定された場合は、そのユーザ操作により設定された用紙トレイ及び、そのトレイに収容されている用紙サイズが、設定値表示欄７４に表示される。また、例えば、設定画面において、使用対象の用紙トレイの自動設定が選択されている場合であっても、設定変更画面１００において、用紙サイズ変更ボタン１０４が操作され、印刷用紙の用紙サイズが設定された場合は、そのユーザ操作により設定された用紙サイズ及び、その用紙サイズの印刷用紙を収容している用紙トレイが、設定値表示欄７４に表示される。なお、設定値表示欄７４に表示されている設定値は、テンポラリ設定領域４２ｂに記憶されている。つまり、テンポラリ設定領域４２ｂは、コピー選択ボタン５４がユーザ操作により選択され、コピー処理実行画面７０が表示されると、設定値表示欄７４に表示される設定値が記憶され、設定変更画面１００において各種設定値が変更されることで上書きされ、コピー処理が完了すると、そこに記憶された設定値がクリアされる領域である。
【００２７】
また、コピー処理実行画面７０において、モノクロコピー開始ボタン７８若しくは、カラーコピー開始ボタン８０が操作されると、設定値表示欄７４に表示されているコピー処理の設定値に応じたコピー処理が実行される。ただし、ＭＦＰ１０では、上述したように、ユーザの意思に従って用紙トレイが設定されている場合と、用紙トレイの自動設定が選択されている場合とがあり、それぞれの場合に応じてコピー処理の手法が異なっている。このため、以下に、それぞれの場合に応じたコピー処理について詳しく説明する。
【００２８】
まず、ユーザの意思に従って用紙トレイが設定されている場合のコピー処理について説明する。なお、ユーザの意思に従って用紙トレイが設定されている場合とは、設定変更画面１００での用紙サイズ変更ボタン１０４へのユーザ操作により、印刷用紙の用紙サイズが設定された場合、設定変更画面１００でのトレイ変更ボタン１０６へのユーザ操作により、特定の用紙トレイが設定された場合である。また、設定画面で特定の用紙トレイが設定され、設定変更画面１００において、用紙サイズ若しくは、用紙トレイの変更が行われなかった場合も、ユーザの意思に従って用紙トレイが設定されている場合に該当する。
【００２９】
ユーザの意思に従って用紙トレイが設定されている場合には、設定画面又は設定変更画面でユーザ操作により特定された用紙トレイと関連付けてパーマネント設定領域４２ａに記憶されている用紙サイズ及び用紙タイプが、テンポラリ設定領域４２ｂに記憶される。ただし、設定変更画面１００の用紙タイプ変更ボタン１０２への操作により、用紙タイプが変更されている場合は、その変更された用紙タイプが、テンポラリ設定領域に上書き記憶される。
【００３０】
また、透明板３３にセットされた原稿の寸法が検出される。詳しくは、透明板３３に原稿がセットされ、カバー３４が閉じられると、読取装置３５が僅かに移動され、ＣＩＳ３９による読取が行われる。これにより、透明板３３にセットされた原稿の、主走査方向の寸法が検出される。
【００３１】
次に、テンポラリ設定領域４２ｂに記憶された用紙サイズと、コピー処理の設定値として設定されている拡縮率とに基づいて、原稿の原稿サイズが推定される。詳しくは、原稿の原稿サイズに対する印刷用紙の用紙サイズの比率が、拡縮率であるため、原稿サイズは、用紙サイズを拡縮率で除することで演算される。次に、演算された原稿サイズと、検出された主走査方向の原稿寸法とに基づいて、原稿の載置方向が推定される。そして、読取装置３５が、その載置方向で載置された原稿の副走査方向での寸法に相当する距離、移動されることで、推定された方向で載置された原稿サイズに応じた領域が、ＣＩＳ３９によって読み取られる。つまり、例えば、原稿サイズがＡ４と推定され、主走査方向の原稿寸法がＡ４サイズの原稿の長辺に相当する寸法である場合は、Ａ４サイズの原稿が縦方向に延びる姿勢で載置されていると推定される。この際、縦方向に延びるように載置されたＡ４サイズの原稿の副走査方向の寸法は、Ａ４サイズの原稿の短辺に相当する寸法となる。このため、読取装置３５が、Ａ４サイズの原稿の短辺に相当する距離、移動されることで、縦方向に載置されたＡ４サイズの原稿に相当する領域が、ＣＩＳ３９によって読み取られる。
【００３２】
そして、その読み取られた画像データが、拡縮率に応じた印刷用の画像データに変換される。つまり、例えば、原稿がＡ４サイズであり、拡縮率が１４１％である場合には、Ａ４サイズに相当する画像データを、縦方向及び横方向に１４１％、拡大させる。これにより、Ａ３サイズに相当する印刷用の画像データが作成される。また、テンポラリ設定領域４２ｂに記憶されている用紙サイズ及び用紙タイプと関連付けてパーマネント設定領域４２ａに記憶されている用紙トレイから、印刷用紙が給紙される。そして、給紙された印刷用紙に、印刷用の画像データに基づく画像が、記録部２０によって印刷される。これにより、ユーザの意思に従って設定された印刷用紙に、画像が印刷される。
【００３３】
次に、自動設定が選択されている場合のコピー処理について説明する。用紙トレイの自動設定が選択されている場合においても、ユーザの意思に従って用紙トレイが設定されている場合と同様に、用紙サイズ及び用紙タイプが、テンポラリ設定領域４２ｂに記憶される。また、用紙トレイについては、設定が“自動”であることと、自動で選択された用紙トレイが記憶される。また、透明板３３にセットされた原稿の主走査方向の寸法が検出される。
【００３４】
次に、主走査方向の原稿寸法が検出されると、その原稿寸法と拡縮率とに基づいて、印刷用紙の用紙サイズが推定される。詳しくは、まず、原稿寸法に基づいて、原稿の原稿サイズが推定される。この際、例えば、原稿寸法が、Ａ５サイズの原稿の短辺に相当する寸法であれば、原稿サイズはＡ５であると推定される。ただし、原稿寸法が、Ａ３サイズの原稿の短辺に相当する寸法であれば、原稿サイズはＡ３サイズ若しくはＡ４サイズであると推定される。具体的には、例えば、図８に示す形状の透明板３３において、矢印１４２の方向が主走査方向である場合には、点線１４４で示す位置に、Ａ３サイズの原稿が載置されると、原稿寸法は、Ａ３サイズの原稿の短辺に相当する寸法となり、１点鎖線１４６で示す位置に、Ａ４サイズの原稿が載置されると、原稿寸法は、Ａ３サイズの原稿の短辺に相当する寸法となる。このため、原稿寸法が、Ａ３サイズの原稿の短辺に相当する寸法である場合には、原稿サイズはＡ３サイズ若しくはＡ４サイズと推定される。
【００３５】
次に、推定された原稿サイズと拡縮率とに基づいて、印刷用紙の用紙サイズが推定される。詳しくは、拡縮率は、原稿の原稿サイズに対する印刷用紙の用紙サイズの比率であるため、用紙サイズは、推定された原稿サイズに拡縮率を乗じることで演算される。このため、例えば、原稿寸法がＡ３サイズの短辺に相当する寸法である場合には、図９に示すように、拡縮率に応じて用紙サイズが推定される。図から解るように、原稿寸法がＡ３サイズの短辺に相当する寸法であり、拡縮率が１４１％である場合には、推定される用紙サイズ（以下、「推定用紙サイズ」と記載する）として、Ａ３サイズの１種類の用紙サイズが推定される。また、拡縮率が６９％である場合には、Ａ４サイズとＡ５サイズとの２種類の用紙サイズが、推定用紙サイズとして推定され、拡縮率が１００％である場合には、Ａ３サイズとＡ４サイズとの２種類の用紙サイズが、推定用紙サイズとして推定される。
【００３６】
そして、推定用紙サイズが１種類の用紙サイズとして推定された場合には、その推定用紙サイズ及び、テンポラリ設定領域４２ｂの用紙タイプと一致する印刷用紙が、ＭＦＰ１０内に収容されているか否かが判断される。つまり、用紙トレイと関連付けてパーマネント設定領域４２ａに記憶されている用紙サイズ及び用紙タイプのなかに、推定用紙サイズ及び、テンポラリ設定領域４２ｂの用紙タイプと一致するものが存在するか否かが判断される。この際、用紙トレイと関連付けてパーマネント設定領域４２ａに記憶されている用紙サイズ及び用紙タイプに、推定用紙サイズ及びテンポラリ設定領域４２ｂの用紙タイプと一致するものが存在する場合には、その推定用紙サイズが、テンポラリ設定領域４２ｂに記憶されている用紙サイズに上書きされる。また、推定用紙サイズと関連づけてパーマネント設定領域４２ａに記憶されている用紙トレイも、自動で選択されたトレイとしてテンポラリ設定領域４２ｂに記憶される。一方、用紙トレイと関連付けてパーマネント設定領域４２ａに記憶されている用紙サイズ及び用紙タイプのなかに、推定用紙サイズ及びテンポラリ設定領域４２ｂの用紙タイプと一致するものが存在しない場合には、テンポラリ設定領域４２ｂに記憶されている用紙サイズが維持される。
【００３７】
また、推定用紙サイズが複数種類、推定された場合には、それら複数種類の推定用紙サイズ及びテンポラリ設定領域４２ｂの用紙タイプが、複数の用紙トレイ毎に設定されている優先順位に従って、用紙トレイと関連付けてパーマネント設定領域４２ａに記憶されている用紙サイズ及び用紙タイプと一致するか否かが判断される。用紙サイズ及び用紙タイプが一致する場合に、複数種類の推定用紙サイズのうちのパーマネント設定領域４２ａに記憶されている用紙サイズと一致するものが、テンポラリ設定領域４２ｂの用紙サイズに上書きされる。また、一致した用紙サイズの用紙と関連づけてパーマネント設定領域に記憶されている用紙トレイも、自動で選択されたトレイとしてテンポラリ設定領域４２ｂに記憶される。
【００３８】
つまり、例えば、Ａ３サイズとＡ４サイズとの２種類の用紙サイズが、推定用紙サイズとして推定され、図４に示す優先順位が設定されている場合には、まず、優先順位が１位のトレイＢと関連付けてパーマネント設定領域４２ａに記憶されている用紙サイズと、推定用紙サイズとが一致するか否かが判断される。この結果、トレイＢと関連付けてパーマネント設定領域４２ａに記憶されている用紙サイズがＡ３であり、推定用紙サイズがＡ３サイズとＡ４サイズとであり、パーマネント設定領域４２ａに記憶されている用紙サイズと、推定用紙サイズとが一致する。このため、テンポラリ設定領域４２ｂの用紙タイプが、トレイＢに関連付けられている用紙タイプ（普通紙）と一致する場合に、推定用紙サイズのＡ３サイズが、テンポラリ設定領域４２ｂに記憶されている用紙サイズに上書きされる。
【００３９】
また、例えば、Ａ４サイズとＡ５サイズとの２種類の用紙サイズが、推定用紙サイズとして推定され、図４に示す優先順位が設定されている場合には、まず、優先順位が１位のトレイＢと関連付けてパーマネント設定領域４２ａに記憶されている用紙サイズと、推定用紙サイズとが一致するか否かが判断される。この結果、トレイＢと関連付けてパーマネント設定領域４２ａに記憶されている用紙サイズがＡ３であり、推定用紙サイズがＡ４サイズとＡ５サイズと一致しない。このため、優先順位が２位のトレイＡと関連付けてパーマネント設定領域４２ａに記憶されている用紙サイズと、推定用紙サイズとが一致するか否かが判断される。この結果、トレイＡと関連付けてパーマネント設定領域４２ａに記憶されている用紙サイズがＡ４であり、推定用紙サイズがＡ４サイズとＡ５サイズとであり、テンポラリ設定領域４２ｂに記憶されている用紙サイズと、推定用紙サイズとが一致する。このため、テンポラリ設定領域４２ｂの用紙タイプが、トレイＡに関連付けられている用紙タイプ（光沢紙）と一致する場合に、推定用紙サイズのＡ４サイズが、テンポラリ設定領域４２ｂに記憶されている用紙サイズに上書きされる。なお、推定された複数種類の推定用紙サイズ及び、テンポラリ設定領域４２ｂの用紙タイプが、全ての用紙トレイと関連付けてパーマネント設定領域４２ａに記憶されている用紙サイズ及び用紙タイプと一致しない場合には、テンポラリ設定領域４２ｂに記憶されている用紙サイズが維持される。
【００４０】
続いて、モノクロコピー開始ボタン７８若しくは、カラーコピー開始ボタン８０が操作されると、ユーザの意思に従って用紙トレイが設定されている場合と同様に、テンポラリ設定領域４２ｂに記憶された用紙サイズと、拡縮率と、原稿寸法とに基づいて、原稿の原稿サイズおよび、原稿の載置方向が推定される。そして、推定された原稿サイズに応じた領域を、ＣＩＳ３９によって読み取り、その読み取られた画像データが、拡縮率に応じた印刷用の画像データに変換される。
【００４１】
また、テンポラリ設定領域４２ｂに記憶されている用紙サイズ及び、用紙タイプの印刷用紙が、ＭＦＰ１０に収容されているか否かが判断される。つまり、用紙トレイと関連付けてパーマネント設定領域４２ａに記憶されている用紙サイズ及び用紙タイプのなかに、テンポラリ設定領域４２ｂに記憶されている用紙サイズ及び、用紙タイプと一致するものが存在するか否かが判断される。そして、一致する用紙サイズ及び用紙タイプが存在する場合に、その一致する用紙サイズ及び用紙タイプと関連付けられている用紙トレイから、印刷用紙が給紙される。そして、給紙された印刷用紙に、印刷用の画像データに基づく画像が、記録部２０によって印刷される。これにより、ユーザが印刷用紙のサイズ等を設定しなくても、適切な印刷用紙に画像を印刷することが可能となる。
【００４２】
また、一致する用紙サイズ及び用紙タイプが存在しない場合には、ディスプレイ１６に選択画面（図示省略）が表示される。選択画面には、トレイ設定を変更するためのボタンと、最優先トレイからの給紙を選択するためのボタンとが表示される。トレイ設定を変更するためのボタンが操作されると、トレイ設定を選択するための画面が表示され、その画面において、ユーザは、所定の用紙トレイを選択する。これにより、その選択された用紙トレイから印刷用紙が給紙され、その印刷用紙に画像が印刷される。また、最優先トレイからの給紙を選択するためのボタンが操作されると、最優先トレイ、つまり、優先順位が１位の用紙トレイから印刷用紙が給紙され、その印刷用紙に画像が印刷される。
【００４３】
また、ＭＦＰ１０では、ショートカット機能を利用したコピー処理を実行することが可能である。詳しくは、図３に示すメニュー画面５０において、ショートカット選択ボタン６０が操作されると、ディスプレイ１６に、図７に示すショートカット画面１２０が表示される。ショートカット画面１２０には、複数のショートカットボタン１２２，１２４が表示される。各ショートカットボタン１２２，１２４には、コピー処理の設定値が関連付けられており、ショートカットボタン１２２，１２４が操作されると、操作されたショートカットボタン１２２，１２４に応じた設定値に従って、コピー処理が実行される。なお、各ショートカットボタン１２２，１２４は、ユーザ操作により作成される。詳しくは、図５に示すコピー処理実行画面７０において、登録ボタン８２が操作されると、そのコピー処理実行画面７０の設定値表示欄７４に表示されている設定値に応じたショートカットボタンが作成される。このため、ショートカット機能を利用したコピー処理では、ユーザの意思に応じた用紙サイズの印刷用紙に画像が印刷されることから、ユーザの意思に従って用紙トレイが設定されている場合と同様のコピー処理が実行される。
【００４４】
また、ＭＦＰ１０では、拡縮率を自動で設定することが可能である。詳しくは、図６に示す設定変更画面１００での拡縮率自動設定ボタン１１０への操作により、拡縮率自動設定が選択される。なお、拡縮率自動設定では、印刷用紙の用紙サイズの設定が必須であるため、設定画面でのユーザ操作により用紙トレイが設定されることと、設定変更画面１００での用紙サイズ変更ボタン１０４の操作により用紙サイズが設定されることと、設定変更画面１００でのトレイ変更ボタン１０６の操作により用紙トレイが設定されることとの何れが行われることが前提である。そして、用紙サイズの設定、若しくは、用紙トレイの設定により、設定された用紙サイズ、若しくは、設定された用紙トレイと関連付けてパーマネント設定領域４２ａに記憶されている用紙サイズが、テンポラリ設定領域４２ｂに記憶される。
【００４５】
また、拡縮率自動設定時には、原稿が透明板３３にセットされると、原稿寸法が検出される。なお、原稿寸法の検出手法は、上記手法と同じである。そして、検出された原稿寸法が、Ａ３サイズの原稿の短辺に相当するか否かが判断される。これは、原稿寸法が、Ａ３サイズの原稿の短辺に相当する場合には、原稿の原稿サイズが複数種類、推定され、原稿寸法が、Ａ３サイズの原稿の短辺に相当しない場合には、推定される原稿の原稿サイズが１種類に限定されるためである。このため、原稿寸法が、Ａ３サイズの原稿の短辺に相当しない場合には、１種類の原稿サイズが推定される。そして、その推定された原稿サイズと、テンポラリ設定領域４２ｂに記憶された用紙サイズとに基づいて、拡縮率が演算される。詳しくは、拡縮率は、原稿の原稿サイズに対する印刷用紙の用紙サイズの比率である。このため、拡縮率は、テンポラリ設定領域４２ｂに記憶された用紙サイズを推定された原稿サイズで除することで、演算される。これにより、ユーザが拡縮率を入力することなく、拡縮率が設定される。
【００４６】
また、原稿寸法が、Ａ３サイズの原稿の短辺に相当する場合には、上述したように、原稿の原稿サイズが複数種類、推定されるため、ディスプレイ１６に問い合わせ画面（図示省略）が表示される。問い合わせ画面には、透明板３３にセットされた原稿の原稿サイズを問い合わせる旨のコメントと、ユーザ操作により原稿サイズを選択するための選択ボタンとが表示される。そして、問い合わせ画面において、原稿サイズを選択するための選択ボタンが操作されると、選択ボタンに応じた原稿サイズと、テンポラリ設定領域４２ｂとに基づいて、拡縮率が演算される。つまり、テンポラリ設定領域４２ｂに記憶された用紙サイズを、選択ボタンに応じた原稿サイズで除することで、拡縮率が演算される。これにより、ユーザが拡縮率を入力することなく、拡縮率が設定される。
【００４７】
次に、拡縮率が設定されると、選択ボタンに応じた原稿サイズ、若しくは、推定された原稿サイズに応じた領域が、ＣＩＳ３９によって読み取られ、その読み取られた画像データが、拡縮率に応じた印刷用の画像データに変換される。また、テンポラリ設定領域４２ｂに記憶されている用紙サイズ及び用紙タイプと関連付けてパーマネント設定領域４２ａに記憶されている用紙トレイから、印刷用紙が給紙される。そして、給紙された印刷用紙に、印刷用の画像データに基づく画像が、記録部２０によって印刷される。これにより、ユーザが拡縮率を入力することなく、適切なサイズの印刷用紙に画像が印刷される。
【００４８】
＜制御プログラム＞
上記コピー処理は、ＭＦＰ１０のＣＰＵ１２において制御プログラム４０が実行されることによって行われる。以下に、ＣＰＵ１２で制御プログラム４０が実行される際のフローを、図１０乃至図１４を用いて説明する。
【００４９】
ＣＰＵ１２により制御プログラム４０が実行されると、図１０に示すように、テンポラリ設定領域４２ｂに用紙トレイ、用紙サイズ及び用紙タイプが記憶される（Ｓ１００）。次に、透明板３３に原稿が載置されているか否かが、ＣＰＵ１２によって判断される（Ｓ１０２）。なお、原稿が載置されているか否かは、次の様に判断される。すなわち、検出センサ２４によりカバーが開状態から閉状態へと変化したことをＣＰＵ１２が検知すると、ＣＩＳをわずかに走査し読み取りを行う。そして原稿のエッジを検出した場合、原稿が載置されていると判断し、検出しなかった場合は原稿が載置されていないと判断する。つまり、Ｓ１０２以前に原稿が載置されていたか否かに基づき判断を行うことができる。なお、１度のコピー処理では本判定で一度Ｙｅｓとなり、再度Ｓ１０２が実行される場合は、原稿が引き続き載置されていてもＮｏとして判断される。透明板３３に原稿が載置されている場合（Ｓ１０２：ＹＥＳ）には、原稿寸法が検出される（Ｓ１０４）。続いて、用紙トレイを自動で設定するための条件（以下、「設定条件」と記載する場合がある）を充足しているか否かが、ＣＰＵ１２によって判断される（Ｓ１０６）。
【００５０】
設定条件は、ショートカット機能を利用したコピー処理でないこと、拡縮率が自動設定でないことに加えて、１）パーマネント設定領域に記憶された使用対象の用紙トレイの設定が“自動”に設定されており、設定変更画面１００において用紙トレイ、用紙サイズの設定が変更されていないこと２）パーマネント設定領域に記憶された使用対象の用紙トレイの設定に特定の用紙トレイが記憶されているが、設定変更画面１００において用紙トレイの設定が“自動”に変更されたことのいずれかを満たすことである。
【００５１】
そして、設定条件を充足する場合（Ｓ１０６：ＹＥＳ）には、第１推定処理サブルーチンが実行される（Ｓ１０８）。第１推定処理サブルーチンでは、図１１に示すように、検出された原稿寸法と、拡縮率とに基づいて、印刷対象の印刷用紙の用紙サイズが推定される（Ｓ１３０）。次に、推定された用紙サイズが１種類であるか否かが、ＣＰＵ１２によって判断される（Ｓ１３２）。推定された用紙サイズが１種類である場合（Ｓ１３２：ＹＥＳ）には、推定用紙サイズ及びテンポラリ設定領域４２ｂの用紙タイプと一致する設定の用紙トレイが存在するか否かが、ＣＰＵ１２によって判断される（Ｓ１３４）。つまり、推定用紙サイズ及びテンポラリ設定領域４２ｂの用紙タイプが、用紙トレイ毎に関連付けてデータ記憶領域４２に記憶されている用紙サイズ及び用紙トレイと一致するか否かが判断される。
【００５２】
そして、推定用紙サイズ及びテンポラリ設定領域４２ｂの用紙タイプと一致する設定の用紙トレイが存在する場合（Ｓ１３４：ＹＥＳ）には、一致する用紙トレイ、とその用紙サイズ、つまり推定用紙サイズがテンポラリ設定領域４２ｂの用紙サイズに反映される（Ｓ１３６）。そして、第１推定処理サブルーチンが終了する。また、推定された用紙サイズが１種類でない場合（Ｓ１３２：ＮＯ）および、推定用紙サイズ及びテンポラリ設定領域４２ｂの用紙タイプと一致する設定の用紙トレイが存在しない場合（Ｓ１３４：ＮＯ）にも、第１推定処理サブルーチンが終了する。
【００５３】
第１推定処理サブルーチンが終了すると、メインルーチンに戻り、図１０に示すように、推定用紙サイズが複数種類あるか否かが、ＣＰＵ１２によって判断される（Ｓ１１０）。そして、推定用紙サイズが複数種類ある場合（Ｓ１１０：ＹＥＳ）には、第２推定処理サブルーチンが実行される。第２推定処理サブルーチンでは、図１２に示すように、カウンタＮの値が１とされる（Ｓ１４０）。次に、Ｎ番目に優先度が高い用紙トレイに設定された用紙サイズが、推定用紙サイズに含まれるか否かが、ＣＰＵ１２によって判断される（Ｓ１４２）。Ｎ番目に優先度が高い用紙トレイに設定された用紙サイズが、推定用紙サイズに含まれる場合（Ｓ１４２：ＹＥＳ）には、Ｎ番目に優先度が高い用紙トレイに設定された用紙タイプが、テンポラリ設定領域４２ｂの用紙タイプと一致するか否かが、ＣＰＵ１２によって判断される（Ｓ１４４）。Ｎ番目に優先度が高い用紙トレイに設定された用紙タイプが、テンポラリ設定領域４２ｂの用紙タイプと一致する場合（Ｓ１４４：ＹＥＳ）には、Ｎ番目に優先度が高い用紙トレイ及びその用紙トレイに関連付けてパーマネント設定領域４２ａに記憶されている用紙サイズがテンポラリ設定領域４２ｂに上書き記憶される。（Ｓ１４６）。そして、第２推定処理サブルーチンが終了する。
【００５４】
また、Ｓ１４２でＮ番目に優先度が高い用紙トレイに設定された用紙サイズが、推定用紙サイズに含まれない場合（Ｓ１４２：ＮＯ）、若しくは、Ｓ１４４でＮ番目に優先度が高い用紙トレイに設定された用紙タイプが、テンポラリ設定領域４２ｂの用紙タイプと一致しない場合（Ｓ１４４：ＮＯ）には、カウンタの値Ｎに１加算される（Ｓ１４８）。続いて、全ての用紙トレイに対して判断が実行されたか否かが、ＣＰＵ１２によって判断される（Ｓ１５０）。全ての用紙トレイに対して判断が実行されていない場合（Ｓ１５０：ＮＯ）には、Ｓ１４２に戻る。一方、全ての用紙トレイに対して判断が実行されている場合（Ｓ１５０：ＹＥＳ）には、第２推定処理サブルーチンが終了する。
【００５５】
第２推定処理サブルーチンが終了すると、メインルーチンに戻り、図１０に示すように、Ｓ１１４に進む。また、Ｓ１０２で透明板３３に原稿が載置されていない場合（Ｓ１０２：ＮＯ）、若しくは、Ｓ１０６で設定条件を充足していない場合（Ｓ１０６：ＮＯ）、若しくは、Ｓ１１０で推定用紙サイズが複数種類ない場合（Ｓ１１０：ＮＯ）にも、Ｓ１１４に進む。次に、Ｓ１１４では、コピー設定の受付が有るか否かが、ＣＰＵ１２によって判断される（Ｓ１１４）。コピー設定の受付が有る場合（Ｓ１１４：ＹＥＳ）には、受け付けたコピー設定が、コピー処理の設定値に反映される（Ｓ１１６）。そして、Ｓ１１８に進む。また、コピー設定の受付が無い場合（Ｓ１１４：ＮＯ）にも、Ｓ１１８に進む。
【００５６】
Ｓ１１８では、モノクロコピー開始ボタン７８若しくは、カラーコピー開始ボタン８０が操作されたか否かが、ＣＰＵ１２によって判断される（Ｓ１１８）。モノクロコピー開始ボタン７８若しくは、カラーコピー開始ボタン８０が操作されていない場合（Ｓ１１８：ＮＯ）には、Ｓ１０２に戻る。一方、モノクロコピー開始ボタン７８若しくは、カラーコピー開始ボタン８０が操作された場合（Ｓ１１８：ＹＥＳ）には、コピー処理サブルーチンが実行される。
【００５７】
コピー処理サブルーチンでは、図１３に示すように、拡縮率の自動設定が選択されているか否かが、ＣＰＵ１２によって判断される（Ｓ１６０）。拡縮率の自動設定が選択されていない場合（Ｓ１６０：ＮＯ）には、テンポラリ設定領域４２ｂの用紙サイズと、拡縮率と、主走査方向の原稿寸法とに基づいて、原稿の原稿サイズ及び、載置方向が推定される（Ｓ１６２）。そして、原稿サイズに応じた領域をＣＩＳ３９によって読み取り、読み取られた画像データに基づいて、拡縮率に応じた印刷用の画像データを作成する（Ｓ１６４）。次に、使用対象の用紙トレイの自動設定が選択されているか否かが、ＣＰＵ１２によって判断される（Ｓ１６６）。使用対象の用紙トレイの自動設定が選択されている場合（Ｓ１６６：ＹＥＳ）には、テンポラリ設定領域４２ｂの用紙サイズ及び用紙トレイと一致する用紙トレイが存在するか否かが、ＣＰＵ１２によって判断される（Ｓ１６８）。
【００５８】
テンポラリ設定領域４２ｂの用紙サイズ及び用紙トレイと一致する用紙トレイが存在する場合（Ｓ１６８：ＹＥＳ）には、一致する用紙トレイから印刷用紙が給紙される（Ｓ１７０）。そして、給紙された印刷用紙のサイズと、Ｓ１６４で作成された画像データに基づく画像のサイズとが比較され、画像サイズと印刷用紙のサイズとが異なるか否かが、ＣＰＵ１２によって判断される（Ｓ１７２）。画像サイズと印刷用紙のサイズとが同じ場合（Ｓ１７２：ＹＥＳ）には、印刷用紙に画像が印刷される（Ｓ１７４）。そして、コピー処理サブルーチンが終了する。一方、画像サイズと印刷用紙のサイズとが異なる場合（Ｓ１７４：ＮＯ）には、ディスプレイ１６にエラー画面（図示省略）が表示される。なお、Ｓ１７６が実行されるのは、パーマネント設定領域４２ａに記憶されている用紙サイズと、実際の用紙サイズが異なる場合である。そして、コピー処理サブルーチンが終了する。
【００５９】
また、Ｓ１６８でテンポラリ設定領域４２ｂの用紙サイズ及び用紙トレイと一致する用紙トレイが存在しない場合（Ｓ１６８：ＮＯ）には、ディスプレイ１６に選択画面が表示される。選択画面は、トレイ設定を現在の設定から変更することと、パーマネント設定領域４２ａに記憶されている優先度が最も高いトレイを設定することのいずれを選択するかをユーザに問い合わせるための画面である。そして、選択画面において、トレイ設定を変更するためのボタンが操作されたか否かが、ＣＰＵ１２によって判断される（Ｓ１８０）。この際、トレイ設定を変更するためのボタンが操作された場合（Ｓ１８０：ＹＥＳ）には、ディスプレイ１６にトレイ設定を選択するための画面が表示され、その画面において、所定の用紙トレイが選択される（Ｓ１８２）。そして、Ｓ１６８に戻る。
【００６０】
一方、トレイ設定を変更するためのボタンが操作されていない場合、すなわち優先度が最も高いトレイを設定するためのボタンが操作された場合（Ｓ１８０：ＮＯ）には、優先順位が１位に設定されている用紙トレイから、印刷用紙が給紙される（Ｓ１８４）。そして、Ｓ１７２に進み、以降の処理が実行される。また、Ｓ１６６で使用対象の用紙トレイの自動設定が選択されていないと判断された場合（Ｓ１６６：ＮＯ）には、ユーザ操作により設定されている用紙トレイから、印刷用紙が給紙される。そして、Ｓ１７２に進み、以降の処理が実行される。
【００６１】
また、Ｓ１６０で拡縮率の自動設定が選択されている場合（Ｓ１６０：ＹＥＳ）には、検出された原稿寸法が、Ａ３サイズの原稿の短辺に相当するか否かが、ＣＰＵ１２によって判断される（Ｓ１８８）。検出された原稿寸法が、Ａ３サイズの原稿の短辺に相当する場合（Ｓ１８８：ＹＥＳ）には、ディスプレイ１６に問い合わせ画面が表示される（Ｓ１９０）。そして、問い合わせ画面に表示された選択ボタンへの操作により原稿サイズを取得する（Ｓ１９２）。続いて、原稿サイズと、テンポラリ設定領域４２ｂの用紙サイズとに基づいて、拡縮率が演算される（Ｓ１９４）。そして、Ｓ１６４に進み、以降の処理が実行されることで、コピー処理サブルーチンが終了する。
【００６２】
また、Ｓ１８８で検出された原稿寸法が、Ａ３サイズの原稿の短辺に相当しない場合（Ｓ１８８：ＮＯ）には、原稿寸法に基づいて原稿サイズが推定される（Ｓ１９６）。そして、Ｓ１９４に進み、以降の処理が実行されることで、コピー処理サブルーチンが終了する。
【００６３】
コピー処理サブルーチンが終了すると、メインルーチンに戻り、図１０に示すように、制御プログラム４０が終了する。
【００６４】
なお、Ｓ１０４を実行するＣＰＵ１２は、取得手段の一例である。Ｓ１１４を実行するＣＰＵ１２は、第１受付手段、第２受付手段、第３受付手段の一例である。Ｓ１１６を実行するＣＰＵ１２は、第２設定手段の一例である。Ｓ１３０を実行するＣＰＵ１２は、第１推定手段の一例である。Ｓ１３６及びＳ１４６を実行するＣＰＵ１２は、第１設定手段の一例である。Ｓ１６２を実行するＣＰＵ１２は、第２推定手段の一例である。Ｓ１６４を実行するＣＰＵ１２は、読取手段の一例である。Ｓ１９２を実行するＣＰＵ１２は、第４受付手段の一例である。Ｓ１９４を実行するＣＰＵ１２は、演算手段の一例である。
【００６５】
なお、本発明は、上記実施形態に限定されるものではなく、当業者の知識に基づいて種々の変更、改良を施した種々の態様で実施することが可能である。具体的には、上記実施形態では、Ａ３、Ａ４、Ａ５サイズの原稿及び印刷用紙を使用可能なＭＦＰ１０が採用されているが、種々のサイズ、具体的には、例えば、Ｂ４等のＢ判サイズ，Ｌｅｔｔｅｒサイズ，Ｌｅｄｇｅｒサイズ等の原稿及び印刷用紙を使用可能な装置を採用することが可能である。
【００６６】
また、上記実施形態では、Ａ４サイズの原稿だけに対して、横置き及び縦置きが許容されていたが、Ａ４サイズ以外の原稿に対しても、横置き及び縦置きを許容することが可能である。ただし、その場合には、上記フローチャートにおいて、Ｓ１８８及びＳ１９６の処理がスキップされ、Ｓ１９０において、原稿が横置きと縦置きとの何れであるかが問われる。
【００６７】
また、上記実施形態では、拡縮率自動設定時に原稿サイズが複数種類推定される場合に、原稿サイズが問い合わされているが、原稿の載置方向を問い合わせてもよい。そして、問い合わせにより取得した原稿の載置方向と、原稿寸法とに基づいて、原稿サイズを推定してもよい。
【００６８】
また、上記実施形態では、ＣＰＵ１２によって図１０乃至図１４に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００６９】
１０：ＭＦＰ（複写機）、１２：ＣＰＵ（制御部）（コンピュータ）、１６：ディスプレイ（表示部）、１８：入力Ｉ／Ｆ（操作部）、２０：記録部、２２：読取部、３３：透明板（載置部）、３９：ＣＩＳ（撮像素子）、４０：制御プログラム、４２：データ記憶領域（記憶部）、
【図１】
0006589524.tif 000002
【図２】
0006589524.tif 000003
【図３】
0006589524.tif 000004
【図４】
0006589524.tif 000005
【図５】
0006589524.tif 000006
【図６】
0006589524.tif 000007
【図７】
0006589524.tif 000008
【図８】
0006589524.tif 000009
【図９】
0006589524.tif 000010
【図１０】
0006589524.tif 000011
【図１１】
0006589524.tif 000012
【図１２】
0006589524.tif 000013
【図１３】
0006589524.tif 000014
【図１４】
0006589524.tif 000015